(57)【要約】【課題】テレビジョン受像機の映像表示部においてテレビジョン放送や外部入力映像などの任意の映像を視聴しながら，インターホンの呼び出しなどの所定の撮影開始要求に応じて映像撮影装置で撮影される映像を確認することのできる映像表示システム及びこれを構成するテレビジョン受像機及び電気機器を提供すること。【解決手段】映像撮影装置で撮影される撮影映像の表示が要求されたときに（ステップＳ２０１），テレビジョン受像機の映像表示部に任意の映像が表示されている状態であれば（ステップＳ２０３のＮｏ側），前記任意の映像と前記撮影映像とを合成して前記映像表示手段に表示する（ステップＳ２０６）ように構成される。【選択図】図２
2008085729.tif 000002
【特許請求の範囲】
【請求項１】
映像を撮影する映像撮影部により撮影された撮影映像の映像信号を，入力された映像信号に基づいて映像を表示する映像表示部を有するテレビジョン受像機に，所定の信号伝送手段を通じて伝送する映像撮影装置であって，
前記所定の信号伝送手段が，映像信号を含む信号を伝送するＴＭＤＳ信号伝送ラインとＣＥＣ規格に準拠したＣＥＣ信号伝送ラインとを有してなり，ＨＤＭＩ規格に準拠した通信プロトコルに従って信号伝送を行うものであり，
所定の条件が充足された場合に，前記テレビジョン受像機の映像表示部に表示された任意の映像と前記映像撮影部により撮影された撮影映像との合成表示を要求する既定の合成表示コマンドを，ＣＥＣ規格に準拠した通信プロトコルに従って前記ＣＥＣ信号伝送ラインを通じて前記テレビジョン受像機に送信する合成表示コマンド送信手段を備えてなることを特徴とする映像撮影装置。
【請求項２】
前記合成表示コマンドが，前記任意の映像及び前記撮影映像を前記映像表示部に二分割表示させるもの，或いは前記任意の映像の表示領域内に前記撮影映像を表示させるものである請求項１に記載の映像撮影装置。
【請求項３】
音声通話の開始を要求するための呼出操作手段を有するインターホンを更に備えてなり，
前記所定の条件が，前記呼出操作手段の操作が行われたことである請求項１又は２のいずれかに記載の映像撮影装置。
【請求項４】
映像を撮影する映像撮影部を有する映像撮影装置と，前記映像撮影装置の映像撮影部により撮影された撮影映像の映像信号を当該テレビジョン受像機に伝送する信号伝送手段と，所定の条件が充足された場合に当該テレビジョン受像機に前記撮影映像の表示を要求する表示要求手段と，を備えてなる映像表示システムに設けられ，入力された映像信号に基づいて映像を表示する映像表示部を有するテレビジョン受像機であって，
前記映像表示部に任意の映像が表示されている状態で前記表示要求手段による要求が行われた場合に，前記任意の映像と前記撮影映像とを合成して前記映像表示部に表示する合成表示手段を備えてなることを特徴とするテレビジョン受像機。
【請求項５】
入力された映像信号に基づいて映像を表示する映像表示部を有するテレビジョン受像機と，映像を撮影する映像撮影部を有する映像撮影装置と，前記映像撮影装置の映像撮影部により撮影された撮影映像の映像信号を前記テレビジョン受像機に伝送する信号伝送手段と，所定の条件が充足された場合に前記テレビジョン受像機に前記撮影映像の表示を要求する表示要求手段と，を備えてなる映像表示システムであって，
前記テレビジョン受像機が，前記映像表示部に任意の映像が表示されている状態で前記表示要求手段による要求が行われた場合に，前記任意の映像と前記撮影映像とを合成して前記映像表示部に表示する合成表示手段を備えてなることを特徴とする映像表示システム。
【請求項６】
前記信号伝送手段が，映像信号を含む信号を伝送するＴＭＤＳ信号伝送ラインとＣＥＣ規格に準拠したＣＥＣ信号伝送ラインとを有してなり，ＨＤＭＩ規格に準拠した通信プロトコルに従って信号伝送を行うものである請求項５に記載の映像表示システム。
【請求項７】
前記表示要求手段が，前記テレビジョン受像機に前記任意の映像と前記撮影映像との合成表示を要求する既定の合成表示コマンドを，ＣＥＣ規格に準拠した通信プロトコルに従って前記ＣＥＣ信号伝送ラインを通じて前記テレビジョン受像機に送信するものである請求項６に記載の映像表示システム。
【発明の詳細な説明】
【技術分野】
【０００１】
本発明は，インターホンの呼び出しなどに応じて映像撮影装置で撮影される撮影映像をテレビジョン受像機に表示させる映像表示システムに関し，特に，前記映像表示システムを構成する映像撮影装置及びテレビジョン受像機の改良に関するものである。
【背景技術】
【０００２】
例えば，特許文献１には，玄関などに設けられたインターホンの呼び出しに応じてその玄関の映像をカメラ（映像撮影部）で撮影し，その撮影された映像をテレビジョン受像機に表示させるインターホンシステム（映像表示システム）が開示されている。
このような構成では，通常，テレビジョン受像機には，テレビジョン放送や外部入力映像などの任意の映像が表示されるが，インターホンの呼び出しがあった場合に，その表示がカメラで撮影された映像に切り替えられる。したがって，カメラの映像を表示する外部モニタとしてテレビジョン受像機を兼用することができる。
【特許文献１】特開２００１−３０９３６０号公報
【発明の開示】
【発明が解決しようとする課題】
【０００３】
しかしながら，前記特許文献１のような構成では，インターホンの呼び出しがなされるたびに，テレビジョン受像機の表示がカメラの映像に切り替えられるため，ユーザがテレビジョン受像機でテレビジョン放送や外部入力映像などの任意の映像を視聴している場合には，その視聴がその都度中断されるという問題が生じる。例えば，ユーザは視聴中のテレビジョン放送の大事な場面を見逃してしまうおそれがある。
従って，本発明は上記事情に鑑みてなされたものであり，その目的とするところは，テレビジョン受像機の映像表示部においてテレビジョン放送や外部入力映像などの任意の映像を視聴しながら，インターホンの呼び出しなどの所定の撮影開始要求に応じて映像撮影装置で撮影される映像を確認することのできる映像表示システム及びこれを構成する映像撮影装置，及びテレビジョン受像機を提供することにある。
【課題を解決するための手段】
【０００４】
上記目的を達成するために本発明は，映像を撮影する映像撮影部により撮影された撮影映像の映像信号を，入力された映像信号に基づいて映像を表示する映像表示部を有するテレビジョン受像機に，所定の信号伝送手段を通じて伝送する映像撮影装置に適用されるものであって，前記所定の信号伝送手段が，映像信号を含む信号を伝送するＴＭＤＳ信号伝送ラインとＣＥＣ規格に準拠したＣＥＣ信号伝送ラインとを有してなり，ＨＤＭＩ規格に準拠した通信プロトコルに従って信号伝送を行うものであり，所定の条件が充足された場合に，前記テレビジョン受像機の映像表示部に表示された任意の映像と前記映像撮影部により撮影された撮影映像との合成表示を要求する既定の合成表示コマンドを，ＣＥＣ規格に準拠した通信プロトコルに従って前記ＣＥＣ信号伝送ラインを通じて前記テレビジョン受像機に送信する合成表示コマンド送信手段を備えてなることを特徴とする映像撮影装置として構成される。
このように構成された前記映像撮影装置によれば，テレビジョン放送や外部入力映像などの任意の映像と前記撮影映像とが前記テレビジョン受像機の前記映像表示部に同時に表示されるため，ユーザは，前記任意の映像の視聴を中断することなく，該任意の映像を視聴しながら前記撮影映像を確認することができる。
このとき，前記任意の映像及び前記撮影映像の表示形態としては，例えば前記任意の映像及び前記撮影映像を前記映像表示部に二分割表示することや，前記任意の映像の表示領域内に前記撮影映像を表示すること等が考えられる。
【０００５】
本発明は，具体的に，音声通話の開始を要求するための呼出操作手段を有するインターホンを更に備える構成に適用することが可能であり，この場合には，前記所定の条件を，前記呼出操作手段の操作が行われたこととすればよい。
例えば，玄関に設置されたインターホン子機（呼出操作手段）からの呼び出しに応じて，その玄関に設置された前記映像撮影部による撮影映像を前記テレビジョン受像機の映像表示部に表示させる構成が想定できる。
【０００６】
なお，本発明は，前記映像撮影装置に接続されるテレビジョン受像機の発明として捉えることも可能である。
即ち，映像を撮影する映像撮影部を有する映像撮影装置と，前記映像撮影装置の映像撮影部により撮影された撮影映像の映像信号を当該テレビジョン受像機に伝送する信号伝送手段と，所定の条件が充足された場合に当該テレビジョン受像機に前記撮影映像の表示を要求する表示要求手段と，を備えてなる映像表示システムに設けられ，入力された映像信号に基づいて映像を表示する映像表示部を有するテレビジョン受像機に適用されるものであって，前記映像表示部に任意の映像が表示されている状態で前記表示要求手段による要求が行われた場合に，前記任意の映像と前記撮影映像とを合成して前記映像表示部に表示する合成表示手段を備えてなることを特徴とするテレビジョン受像機として捉えてもよい。
このように構成された前記テレビジョン受像機では，テレビジョン放送や外部入力映像などの任意の映像が前記映像表示部に表示されている状態で，前記表示要求手段による要求が行われた場合には，その表示中の任意の映像と前記撮影映像とが前記映像表示部に同時に表示されるため，ユーザは，前記任意の映像の視聴を中断することなく，該任意の映像を視聴しながら前記撮影映像を確認することができる。
【０００７】
さらに，本発明は，前記映像撮影装置や前記テレビジョン受像機を備えてなる映像表示システムの発明として捉えてもよい。
即ち，入力された映像信号に基づいて映像を表示する映像表示部を有するテレビジョン受像機と，映像を撮影する映像撮影部を有する映像撮影装置と，前記映像撮影装置の映像撮影部により撮影された撮影映像の映像信号を前記テレビジョン受像機に伝送する信号伝送手段と，所定の条件が充足された場合に前記テレビジョン受像機に前記撮影映像の表示を要求する表示要求手段と，を備えてなる映像表示システムに適用されるものであって，前記テレビジョン受像機が，前記映像表示部に任意の映像が表示されている状態で前記表示要求手段による要求が行われた場合に，前記任意の映像と前記撮影映像とを合成して前記映像表示部に表示するように構成されてなることを特徴とする映像表示システムとして構成される。
ここで，前記信号伝送手段は，映像信号を含む信号を伝送するＴＭＤＳ信号伝送ラインとＣＥＣ規格に準拠したＣＥＣ信号伝送ラインとを有してなり，ＨＤＭＩ規格に準拠した通信プロトコルに従って信号伝送を行うものであることが考えられる。この場合，前記表示要求手段は，前記テレビジョン受像機に前記任意の映像と前記撮影映像との合成表示を要求する既定の合成表示コマンドを，ＣＥＣ規格に準拠した通信プロトコルに従って前記ＣＥＣ信号伝送ラインを通じて前記テレビジョン受像機に送信するものであることが考えられる。
このように構成された前記映像表示システムでは，テレビジョン放送や外部入力映像などの任意の映像が前記映像表示部に表示されている状態で，前記表示要求手段による要求が行われた場合には，その表示中の任意の映像と前記撮影映像とが前記映像表示部に同時に表示されるため，ユーザは，前記任意の映像の視聴を中断することなく，該任意の映像を視聴しながら前記撮影映像を確認することができる。
【発明の効果】
【０００８】
本発明によれば，テレビジョン放送や外部入力映像などの任意の映像と前記撮影映像とが前記映像表示部に同時に表示されるため，ユーザは，前記任意の映像の視聴を中断することなく，該任意の映像を視聴しながら前記撮影映像を確認することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る映像表示システムＺの概略構成を示すブロック図，図２は前記映像表示システムＺにおいて実行される撮影映像表示処理の手順の一例を説明するためのフローチャート，図３及び図４は前記撮影映像表示処理による表示画面の一例を示す図である。
まず，図１に示すブロック図を用いて，本発明の実施形態に係る映像表示システムＺの構成について説明する。
前記映像表示システムＺは，入力された映像信号に基づいて映像を表示する映像表示部５を有するテレビジョン受像機Ｘと，映像や音声を記録するハードディスクドライブ（ＨＤＤ）２３を有するＨＤレコーダＹと，玄関に設けられたカメラ３１（映像撮影部）及びインターホン子機３２を有するインターホンシステムＶ（映像撮影装置の一例）とを備えて構成されている。なお，前記カメラ３１単体を前記映像撮影装置の一例として捉えてもよい。
前記映像表示システムＺの特徴は，前記テレビジョン受像機Ｘの映像表示部５にテレビジョン放送や外部入力映像などの任意の映像が表示されている状態で，前記インターホンシステムＶのインターホン子機３２からの呼び出し要求が行われた場合に，その任意の映像と前記カメラ３１で撮影された撮影映像とが合成されて前記映像表示部５に同時に表示される点にある。その詳細については後述する。
【００１０】
前記テレビジョン受像機Ｘと前記ＨＤレコーダＹとは，ＨＤＭＩ規格に準拠した信号伝送手段であるＨＤＭＩインターフェースＷ１によって通信可能に接続され，前記テレビジョン受像機Ｘと前記インターホンシステムＶとは，ＨＤＭＩ規格に準拠した信号伝送手段であるＨＤＭＩインターフェースＷ２（信号伝送手段の一例）によって通信可能に接続されている。
前記テレビジョン受像機Ｘ，前記インターホンシステムＶ及び前記ＨＤレコーダＹ各々は，前記ＨＤＭＩインターフェースＷ１及びＷ２を通じて，ＨＤＭＩ規格で規格された通信プロトコルに従って通信を行う。
【００１１】
前記ＨＤＭＩインターフェースＷ１は，映像信号及び音声信号（いずれもデジタル信号）を伝送するＴＭＤＳライン４１ｘ，４１ｙと，ＨＤＭＩ規格のオプション規格であるＣＥＣ規格に準拠したＣＥＣライン４２を含んでいる。なお，前記ＴＭＤＳライン４１ｘ，４１ｙ各々は，複数本の信号ラインにより構成され，前記ＴＭＤＳライン４１ｘ及び前記ＣＥＣライン４２，前記ＴＭＤＳライン４１ｙ及び前記ＣＥＣライン４２は，見かけ上１本のＨＤＭＩケーブル４０として構成されている。
また，前記ＨＤＭＩインターフェースＷ２は，映像信号及び音声信号（いずれもデジタル信号）を伝送するＴＭＤＳライン５１ｘと，ＨＤＭＩ規格のオプション規格であるＣＥＣ規格に準拠したＣＥＣライン４２を含んでいる。なお，前記ＴＭＤＳライン５１ｘは，複数本の信号ラインにより構成され，前記ＴＭＤＳライン５１ｘ及び前記ＣＥＣライン４２は，見かけ上１本のＨＤＭＩケーブル５０として構成されている。
【００１２】
［テレビジョン受像機Ｘ］
本発明の実施形態に係る前記テレビジョン受像機Ｘは，図１に示すように，チューナ１，ＨＤＭＩ受信部（図中，ＨＤＭＩ−ＲＸと表記）２ｘａ，２ｘｂ，ＨＤＭＩ送信部（図中，ＨＤＭＩ−ＴＸと表記）２ｙａ，ＣＥＣインターフェース（図中，ＣＥＣ−ＩＦと表記）２ｘｃ，映像処理回路４，映像表示部５，制御回路６，リモコンインターフェース（Ｉ／Ｆ）回路７，リモコン８，サブＭＰＵ９，音声切替回路１０，音声処理回路１１，アンプ１２，スピーカ１３等を具備して構成されている。
前記チューナ１は，地上波放送信号やＢＳ衛星放送信号等のテレビジョン放送信号を受信し，該放送信号から，前記制御回路６により指示される放送チャンネルの信号を抽出（選局）するとともに，その抽出信号の検波によって映像信号及び音声信号を取り出し，その映像信号及び音声信号の各々を前記映像処理回路４及び前記音声切替回路１０各々へ伝送するものである。
【００１３】
前記ＨＤＭＩ受信部２ｘａ，２ｘｂ及び前記ＨＤＭＩ送信部２ｙａは，ＨＤＭＩ規格に準拠した信号伝送インターフェースである。
前記ＨＤＭＩ受信部２ｘａ，２ｘｂは，前記ＴＭＤＳライン４１ｘ，５１ｘを通じて，外部装置（ここでは，ＨＤレコーダＹ，インターホンシステムＶ）からベースバンド方式で映像信号及び音声信号を入力し，それらを前記映像処理回路４及び前記音声切替回路１０各々へ伝送する。
前記ＨＤＭＩ送信部２ｙａは，前記インターホンシステムＶから前記ＴＭＤＳライン５１ｘを通じて入力される映像信号及び音声信号を，前記ＴＭＤＳライン４１ｙを通じて，外部装置（ここでは，ＨＤレコーダＹ）にベースバンド方式で出力する。
前記ＣＥＣインターフェース２ｘｃは，ＨＤＭＩ規格におけるＣＥＣ規格に準拠した信号伝送インターフェースである。このＣＥＣインターフェース２ｘｃは，前記ＣＥＣライン４２を通じて，外部装置（ここでは，ＨＤレコーダＹ，インターホンシステムＶ）との間で情報の送受信を行う。前記ＣＥＣインターフェース２ｘｃの受信情報の直接の伝送先及び送信情報の直接の供給元は，前記サブＭＰＵ９である。
図１に示す例では，前記テレビジョン受像機Ｘに，１台の前記ＨＤレコーダＹ（外部装置）が接続されているが，該テレビジョン受像機Ｘには，前記ＨＤレコーダＹを介して間接的に複数の外部装置を接続すること（ディジーチェーン接続）が可能である。但し，この場合には，前記ＨＤレコーダＹに，後述するＨＤＭＩ受信部２５ｃやＨＤＭＩ送信部２５ａが複数設けられている必要がある。
【００１４】
前記映像処理回路４は，前記チューナ１，前記ＨＤＭＩ受信部２ｘａ，２ｘｂからの映像信号を入力し，それらの映像信号のうちの任意の１つの映像信号を前記制御回路６からの指示に従って出力する単独出力機能と，それらの映像信号のうちのいずれか複数の映像信号を合成することにより複数の映像を同時に表示する合成表示機能と，を有している。前記合成表示機能には，例えば，前記チューナ１，前記ＨＤＭＩ受信部２ｘａ，２ｘｂから入力される映像のうちの二つの映像を前記映像表示部５に二分割表示する機能や，前記チューナ１，前記ＨＤＭＩ受信部２ｘａ，２ｘｂから入力される映像のうちのいずれか一つの映像の表示領域内に他の映像を表示する機能が含まれる。
また，前記映像処理回路４は，前記チューナ１，前記ＨＤＭＩ受信部２ｘａ，２ｘｂからの映像信号に，前記制御回路６から指定された情報の映像をスーパーインポーズする（重ね合わせる）ＯＳＤ機能も備えている。
前記映像表示部５は，液晶パネル及び液晶ドライバを備えた液晶表示部などにより構成され，前記映像処理回路４から出力される映像信号に基づく映像を表示するものである。
【００１５】
前記音声切替回路１０は，前記チューナ１，前記ＨＤＭＩ受信部２ｘａ，２ｘｂからの音声信号が入力され，それらの音声信号のうちの任意の１つの音声信号を，前記制御回路６からの指示に従って前記音声処理回路１１に出力するものである。
前記音声処理回路１１は，前記音声切替回路１０から出力された信号に対し，イコライズ処理やＤ／Ａ変換処理等を行うものである。
前記アンプ１２は，前記音声処理回路１１による処理後の音声信号を，前記制御回路６からの指示に従って増幅或いは減衰させる処理（ボリューム調節処理）を行い，前記スピーカ１３に出力するものである。前記スピーカ１３では，前記音声信号に基づく音声が出力（再生）される。
【００１６】
前記制御回路６は，演算手段であるＭＰＵ６ａ，そのＭＰＵ６ａによって実行される制御プログラムが予め格納される記録手段であるＲＯＭ６ｂ（ＥＰＲＯＭ），前記ＭＰＵ６ａが実行する処理において読み書きされる各種情報を記録するＥＥＰＲＯＭ６ｃ等を備え，当該テレビジョン受像機Ｘ全体を制御するものである。以下に示す前記制御回路６の処理や機能は，前記ＭＰＵ６ａが前記ＲＯＭ６ｂに記録されたプログラムを実行することによって実現される。
前記リモコン８は，当該テレビジョン受像機Ｘの動作の制御用の無線信号（例えば，赤外線信号）を出力するリモート操作器であり，不図示の操作入力部や無線信号出力回路等を備えている。前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，前記リモコンインターフェース回路７は，前記リモコン８から伝送される無線信号（赤外線信号等）を受信し，これを電気信号に変換することにより，前記リモコン８から伝送される各種情報を取得するとともに，その取得情報を前記サブＭＰＵ９に伝送するものである。
前記サブＭＰＵ９は，前記制御回路６と，前記リモコンインターフェース回路７及び前記ＣＥＣインターフェース２ｘｃとの間で情報伝送を中継する処理を実行するマイクロコンピュータである。
【００１７】
ところで，前記テレビジョン受像機Ｘにおいて，前記ＨＤＭＩインターフェースＷ１，Ｗ２の一部を構成する前記ＨＤＭＩ受信部２ｘａ，２ｘｂ，前記ＨＤＭＩ送信部２ｙａ及び前記ＣＥＣインターフェース２ｘｃと，前記サブＭＰＵ９と，前記リモコンインターフェース回路７とは，当該テレビジョン受像機Ｘが商用電源に接続されている状態では，常時通電された状態となっている。
また，前記テレビジョン受像機Ｘは，商用電源に接続された状態において複数の動作モードを有している。具体的には，前記映像表示部５による映像表示や前記スピーカ１３による音声出力が可能な通常動作モード（即ち電源が立ち上げられた状態）と，前記チューナ１や前記制御回路６，前記映像処理回路４，前記映像表示部５，前記音声切替回路１０，前記音声処理回路１１，アンプ１２，スピーカ１３などへの通電が遮断された省エネモードと，前記チューナ１や前記制御回路６，前記映像表示部５，前記アンプ１２，前記スピーカ１３など，即時に復帰が可能な構成要素だけへの通電を遮断するクイックモードと，を有している。ここで，前記省エネモード及び前記クイックモードは共に，前記テレビジョン受像機Ｘの電源が立ち下げられた状態といえるが，前記クイックモードでは，前記省エネモードよりも動作が停止する構成要素の数が少ないため，前記通常動作モードへの移行が迅速に行われる。なお，ここで説明する各動作モードは一例に過ぎない。
【００１８】
前記テレビジョン受像機Ｘでは，前記サブＭＰＵ９が不図示の通電スイッチの切り替え制御を行うことにより，前記３つの動作モードの切り替えが実現される。
例えば，前記サブＭＰＵ９は，当該テレビジョン受像機Ｘが前記省エネモードや前記クイックモードである場合に，前記リモコン８から前記リモコンインターフェース回路７を通じて電源キーの操作信号が受信されたこと，或いは前記ＨＤレコーダＹから前記ＣＥＣインターフェース２ｘｃを通じて自装置宛の何らかのコマンドが受信されたことを検知すると，前記通電スイッチを切り替えることにより，当該テレビジョン受像機Ｘを前記省エネモードや前記クイックモードから前記通常動作モードへ切り替える。
一方，前記サブＭＰＵ９は，当該テレビジョン受像機Ｘが前記稼動状態である場合に，前記リモコン８から前記リモコンインターフェース回路７を通じて省エネモードキーやクイックモードキーの操作信号が受信されたこと，或いは前記ＨＤレコーダＹから前記ＣＥＣインターフェース２ｘｃを通じて省エネモード移行コマンドやクイックモード移行コマンドが受信されたことを検知すると，前記通電スイッチを切り替えることにより，当該テレビジョン受像機Ｘを前記通常動作モードから前記省エネモードや前記クイックモードへ切り替える。
また，前記リモコン８から前記リモコンインターフェース回路７を通じて電源キーの操作信号が受信された場合に，前記省エネモード又は前記クイックモードのいずれに移行するかを予め設定しておくことも考えられる。他に，前記クイックモードの状態が一定時間継続した場合に，前記省エネモードに移行するように制御することも考えられる。
【００１９】
［ＨＤレコーダＹ］
本発明の実施形態に係る前記ＨＤレコーダＹは，図１に示すように，チューナ２１，記録・再生回路２２，ＨＤＤ２３（ハードディスクドライブ），制御回路２４，ＨＤＭＩ送信部２５ａ（図中，ＨＤＭＩ−ＴＸと表記），ＣＥＣインターフェース２５ｂ（図中，ＣＥＣ−ＩＦと表記），ＨＤＭＩ受信部２５ｃ（図中，ＨＤＭＩ−ＲＸと表記），リモコンインターフェース回路２６，リモコン２７及びサブＭＰＵ２８等を具備して構成されている。
ここで，前記チューナ２１，前記リモコンインターフェース回路２６，前記リモコン２７及び前記サブＭＰＵ２８は，それぞれ前記テレビジョン受像機Ｘにおける前記チューナ１，前記リモコンインターフェース回路７，前記リモコン８及び前記サブＭＰＵ９と同様のものである。
【００２０】
前記記録・再生回路２２は，放送番組の録画処理及び録画番組の再生処理を実行するものである。即ち，前記記録・再生回路２２は，前記チューナ２１により抽出された番組に含まれた前記コンテンツ信号，或いは前記ＨＤＭＩ受信部２５ｃから入力された前記コンテンツ信号を，圧縮符号化して前記ＨＤＤ２３に記録する記録処理を実行する。
また，前記記録・再生回路２２は，前記ＨＤＤ２３に録画（記録）されたコンテンツ信号を復号化しながら前記ＨＤＭＩ送信部２５ａを通じて外部出力する再生処理を実行する。
さらに，前記記録・再生回路２２は，前記チューナ２１により抽出された番組の放送信号から，そこに含まれるＥＰＧ情報（電子番組ガイド情報）を抽出して前記ＨＤＤ２３に記録するＥＰＧ取得機能も備えている。
【００２１】
前記ＨＤＭＩ送信部２５ａ及び前記ＨＤＭＩ受信部２５ｃは，ＨＤＭＩ規格に準拠した信号伝送インターフェースである。前記ＨＤＭＩ送信部２５ａは，前記ＴＭＤＳライン４１ｘを通じて，外部装置（ここでは，テレビジョン受像機Ｘ）に対し，ベースバンド方式で映像信号及び音声信号を出力する。
前記ＨＤＭＩ受信部２５ｃは，前記ＴＭＤＳライン４１ｙを通じて，外部装置（ここでは，前記テレビジョン受像機Ｘ）からベースバンド方式で映像信号及び音声信号を入力し，それらを前記記録・再生回路２２へ伝送する。
前記ＣＥＣインターフェース２５ｂは，前記テレビジョン受像機Ｘにおける前記ＣＥＣインターフェース２ｘｃと同様に，ＨＤＭＩ規格におけるＣＥＣ規格に準拠した信号伝送インターフェースである。このＣＥＣインターフェース２５ｂは，前記ＣＥＣライン４２を通じて，外部装置（ここでは，テレビジョン受像機Ｘ，インターホンシステムＶ）との間で情報の送受信を行う。前記ＣＥＣインターフェース２５ｂの受信情報の直接の伝送先及び送信情報の直接の供給元は，前記サブＭＰＵ２８である。
【００２２】
また，前記ＨＤレコーダＹにおいて，前記ＨＤＭＩインターフェースＷ１の一部を構成する前記ＨＤＭＩ送信部２５ａ，前記ＨＤＭＩ受信部２５ｃ及び前記ＣＥＣインターフェース２５ｂと，前記サブＭＰＵ２８と，前記リモコンインターフェース回路２６とは，当該ＨＤレコーダＹが商用電源に接続されている状態では，常時通電された状態となっている。
一方，前記チューナ２１や前記制御回路２４，前記記録・再生回路２２及び前記ＨＤＤ２３等は，当該ＨＤレコーダＹが商用電源に接続されている状態において，それらへの通電がなされた稼動状態（電源立ち上げられた状態）と，それらへの通電が遮断された待機状態（電源立ち下げられた状態）との２状態に切り替えられる。その２状態の切り替えは，前記サブＭＰＵ２８が不図示の通電スイッチの切り替え制御を行うことにより実現される。
例えば，前記サブＭＰＵ２８は，当該ＨＤレコーダＹが前記待機状態である場合に，前記リモコン２７から前記リモコンインターフェース回路２６を通じて電源キーの操作信号が受信されたこと，或いは前記テレビジョン受像機Ｘや前記インターホンシステムＶから前記ＣＥＣインターフェース２５ｂを通じて自装置宛の何らかのコマンドが受信されたことを検知すると，前記通電スイッチをＯＦＦ状態からＯＮ状態へ切り替えることにより，当該ＨＤレコーダＹを前記待機状態から前記稼動状態へ切り替える。即ち，前記ＨＤレコーダＹの電源を立ち上げる。
一方，前記サブＭＰＵ２８は，当該ＨＤレコーダＹが前記稼動状態である場合に，前記リモコン２７から前記リモコンインターフェース回路２６を通じて電源キーの操作信号が受信されたこと，或いは前記テレビジョン受像機Ｘや前記インターホンシステムＶから前記ＣＥＣインターフェース２５ｂを通じて停止コマンドが受信されたことを検知すると，前記通電スイッチをＯＮ状態からＯＦＦ状態へ切り替えることにより，当該ＨＤレコーダＹを前記稼動状態から前記待機状態へ切り替える。即ち，前記ＨＤレコーダＹの電源を立ち下げる。
【００２３】
前記制御回路２４は，演算手段であるＭＰＵ２４ａ，そのＭＰＵ２４ａによって実行される制御プログラムが予め格納される記録手段であるＲＯＭ２４ｂ（ＥＰＲＯＭ），前記ＭＰＵ２４ａが実行する処理において読み書きされる各種情報を記録するＥＥＰＲＯＭ２４ｃ等を備え，当該ＨＤレコーダＹ全体を制御するものである。以下に示す前記制御回路２４の処理や機能は，前記ＭＰＵ２４ａが前記ＲＯＭ２４ｂに記録されたプログラムを実行することによって実現される。
【００２４】
［インターホンシステムＶ］
本発明の実施形態に係る前記インターホンシステムＶは，図１に示すように，カメラ３１，インターホン子機３２，インターホン親機３２ａ，人感センサ３３，ＨＤＭＩ送信部（図中，ＨＤＭＩ−ＴＸと表記）３４，ＣＥＣインターフェース（図中，ＣＥＣ−ＩＦと表記）３５，制御回路３６及びサブＭＰＵ３７等を具備して構成されている。なお，前記カメラ３１，前記インターホン子機３２及び前記人感センサ３３は玄関外（室外）に設けられ，前記インターホン親機３２ａは室内に設けられる。
ここで，前記サブＭＰＵ３７は，前記テレビジョン受像機Ｘにおける前記サブＭＰＵ９や前記ＨＤレコーダＹにおける前記サブＭＰＵ２８と同様のものである。
【００２５】
前記カメラ３１は，前記インターホン子機３２の近傍の映像を撮影するものであって，前記制御回路３６からの指示に従って前記ＨＤＭＩ送信部３４或いは前記インターホン親機３２ａに撮影映像を出力する。
前記インターホン子機３２は，前記インターホン親機３２ａとの音声通話の開始を要求するための呼出ボタン（不図示，呼出操作手段の一例）と，前記インターホン親機３２ａとの間で音声通話を行う音声通話部（不図示）とを有している。
また，前記インターホン親機３２ａは，前記カメラ３１から入力された映像を表示する映像表示モニタ（不図示）と，前記インータホン子機３２との間で音声通話を行う音声通話部（不図示）とを有している。
前記人感センサ３３は，前記インターホン子機３２の近傍に人が居るか否かを検知するものであって，該検知結果は，前記制御回路３６に入力される。
【００２６】
前記ＨＤＭＩ送信部３４は，ＨＤＭＩ規格に準拠した信号伝送インターフェースである。前記ＨＤＭＩ送信部３４は，前記ＴＭＤＳライン５１ｘを通じて，外部装置（ここでは，テレビジョン受像機Ｘ）に対し，ベースバンド方式で映像信号及び音声信号を出力する。
前記ＣＥＣインターフェース３５は，前記テレビジョン受像機Ｘにおける前記ＣＥＣインターフェース２ｘｃや前記ＨＤレコーダＹにおける前記ＣＥＣインターフェース２５ｂと同様に，ＨＤＭＩ規格におけるＣＥＣ規格に準拠した信号伝送インターフェースである。このＣＥＣインターフェース３５は，前記ＣＥＣライン４２を通じて，外部装置（ここでは，テレビジョン受像機Ｘ，インターホンシステムＶ）との間で情報の送受信を行う。前記ＣＥＣインターフェース３５の受信情報の直接の伝送先及び送信情報の直接の供給元は，前記サブＭＰＵ３７である。
【００２７】
前記制御回路３６は，演算手段であるＭＰＵ３６ａ，そのＭＰＵ３６ａによって実行される制御プログラムが予め格納される記録手段であるＲＯＭ３６ｂ（ＥＰＲＯＭ），前記ＭＰＵ３６ａが実行する処理において読み書きされる各種情報を記録するＥＥＰＲＯＭ３６ｃ等を備え，当該インターホンシステムＶ全体を制御するものである。以下に示す前記制御回路３６の処理や機能は，前記ＭＰＵ３６ａが前記ＲＯＭ３６ｂに記録されたプログラムを実行することによって実現される。
【００２８】
次に，図２に示すフローチャートを参照しつつ，前記映像表示システムＺで実行される撮影映像表示処理の手順の一例について説明する。なお，図中に示すＳ１０１，Ｓ１０２，…（図２の中央）は，前記インターホンシステムＶ側の処理手順（ステップ）番号，Ｓ２０１，Ｓ２０２，…（図２の左側）は，前記テレビジョン受像機Ｘ側の処理手順（ステップ）番号，Ｓ３０１，Ｓ３０２，…（図２の右側）は，前記ＨＤレコーダＹ側の処理手順（ステップ）番号，を表す。
先に，前記インターホンシステムＶ側の処理について説明し，続いて前記テレビジョン受像機Ｘ側，前記ＨＤレコーダＹ側の処理について説明する。
【００２９】
［ステップＳ１０１］
まず，ステップＳ１０１では，前記制御回路３６によって，前記インターホン子機３２の呼出ボタン（不図示）が押下されたか否かが判断される。具体的には，前記呼出ボタン（不図示）の押下により前記インターホン子機３２から入力される呼出信号に基づいて判断される。
ここで，前記呼出ボタン（不図示）が押下されたと判断されると（Ｓ１０１のＹｅｓ側），処理はステップＳ１０２に移行する。なお，前記呼出ボタン（不図示）が押下されていないと判断されている間は（Ｓ１０１のＮｏ側），前記ステップＳ１０１の判断が繰り返し実行される。
なお，このステップＳ１０１では，前記呼出ボタン（不図示）の押下の有無に換えて，前記人感センサ３３による検知の有無を判断してもよい。この場合には，前記人感センサ３３により人が居ることが検知された場合に，処理がステップＳ１０２に移行される。
【００３０】
［ステップＳ１０２］
ステップＳ１０２では，前記制御回路３６から前記カメラ３１に映像の撮影開始が要求されることにより，該カメラ３１による映像の撮影が開始される。
前記カメラ３１により撮影された撮影映像は，前記ＨＤＭＩ送信部３４に入力され，該ＨＤＭＩ送信部３４によって前記ＴＭＤＳライン５１ｘを通じて前記テレビジョン受像機Ｘに出力される。なお，前記テレビジョン受像機Ｘに入力された前記撮影映像は，前記ＨＤＭＩ受信部２ｘｂを介して前記映像処理回路４に入力される。
また，前記テレビジョン受像機Ｘに入力された前記撮影映像は，前記テレビジョン受像機Ｘの前記ＨＤＭＩ受信部２ｘｂ，前記ＨＤＭＩ送信部２ｙａを介して，前記ＨＤレコーダＹの前記ＨＤＭＩ受信部２５ｃにも入力される。
【００３１】
［ステップＳ１０３］
続いて，ステップＳ１０３では，前記制御回路３６の指示により前記サブＭＰＵ３７によって，前記テレビジョン受像機Ｘ及び前記ＨＤレコーダＹの両者に既定の撮影開始コマンド（既定の合成表示コマンドに相当）が送信される。
このとき，前記撮影開始コマンドは，ＨＤＭＩ規格のＣＥＣ規格で規定された通信プロトコルに従って，前記ＣＥＣインターフェース３５，前記ＣＥＣライン４２を通じて送信される。ここに，前記インターホン子機３２の呼出ボタン（不図示）の押下を条件に前記テレビジョン受像機Ｘに前記撮影開始コマンドを送信するときの前記制御回路３６が，表示要求手段及び合成表示コマンド送信手段に相当する。なお，前記撮影開始コマンドは，例えば予め指示内容が任意に設定された所謂ベンダーコード，或いは前記ＣＥＣ規格の標準コマンドを組み合わたものである。
【００３２】
［ステップＳ１０４〜１０５］
その後，ステップＳ１０４では，前記制御回路３６によって，前記人感センサ３３の検知位置に人が居るか否か判断される。具体的には，前記人感センサ３３から入力される検知結果に基づいて判断される。
ここで，前記人感センサ３３の検知位置に人が居ないと判断されると（Ｓ１０４のＮｏ側），処理はステップＳ１０５に移行する。なお，前記人感センサ３３の検知位置に人が居ると判断されている間は（Ｓ１０４のＹｅｓ側），前記ステップＳ１０４の判断が繰り返し実行される。
ステップＳ１０５では，前記制御回路３６の指示により前記サブＭＰＵ３７によって，前記テレビジョン受像機Ｘ及び前記ＨＤレコーダＹの両者に既定の撮影終了コマンドが送信され，処理は前記ステップＳ１０１に戻される。このとき，前記撮影終了コマンドは，ＨＤＭＩ規格のＣＥＣ規格で規定された通信プロトコルに従って，前記ＣＥＣインターフェース３５，前記ＣＥＣライン４２を通じて送信される。なお，前記撮影終了コマンドは，例えば予め指示内容が任意に設定された所謂ベンダーコード，或いは前記ＣＥＣ規格の標準コマンドを組み合わたものである。
以上の処理が，前記撮影映像表示処理における前記インターホンシステムＶ側の処理である。
【００３３】
次に，前記撮影映像表示処理における前記テレビジョン受像機Ｘ側の処理について説明する。
［ステップＳ２０１］
まず，ステップＳ２０１では，前記サブＭＰＵ９によって，前記ＣＥＣライン４２を通じて前記インターホンシステムＶにおける前記ステップＳ１０３の処理で送信される前記撮影開始コマンドが受信されたか否かが判断される（Ｓ２０１）。ここで，前記撮影開始コマンドが受信されたと判断された場合には（Ｓ２０１のＹｅｓ側），処理はステップＳ２０２に移行する。なお，前記撮影開始コマンドが受信されていないと判断されている間は（Ｓ２０１のＮｏ側），前記ステップＳ２０１の判断が繰り返し実行される。なお，前記ステップＳ２０１の処理が繰り返されている状態では，前記映像表示部５に前記撮影映像は表示されておらず，例えば前記通常動作モードであればテレビジョン放送などの映像が前記映像表示部５に単独で表示された状態，前記省エネモードや前記クイックモードであれば前記映像表示部５の表示は消えた状態である。
【００３４】
［ステップＳ２０２，Ｓ２０３］
ステップＳ２０２及び２０３では，前記サブＭＰＵ９によって，前記テレビジョン受像機Ｘの動作モードが，前記通常動作モード，前記省エネモード，前記クイックモードのいずれであるかが判断される。例えば，前記サブＭＰＵ９の内部メモリや前記制御回路６のＥＥＰＲＯＭ６ｃなどに記憶された動作モードを示すモードフラグを参照することや，前記動作モードの切り替えに用いられる前記通電スイッチの状態などによって判断される。
まず，ステップＳ２０２では，前記サブＭＰＵ９によって，前記テレビジョン受像機Ｘの動作モードが省エネモードであるか否かが判断される。
ここで，前記テレビジョン受像機Ｘの動作モードが省エネモードであると判断された場合には（Ｓ２０２のＹｅｓ側），処理は前記ステップＳ２０１に戻る。一方，前記テレビジョン受像機Ｘの動作モードが省エネモードではないと判断された場合には（Ｓ２０２のＮｏ側），処理はステップＳ２０３に移行する。即ち，前記テレビジョン受像機Ｘの動作モードが前記省エネモードである場合には，前記撮影映像は前記映像表示部５に表示されない。
そして，ステップＳ２０３では，前記サブＭＰＵ９によって，前記テレビジョン受像機Ｘがクイックモードであるか否かが判断される。
ここで，前記テレビジョン受像機Ｘの動作モードがクイックモードであると判断された場合には（Ｓ２０３のＹｅｓ側），処理はステップＳ２０４に移行し，クイックモードではないと判断された場合には（Ｓ２０３のＮｏ側），処理はステップＳ２０６に移行する。このとき，前記ステップＳ２０３においてクイックモードではないと判断された場合には，前記テレビジョン受像機Ｘの動作モードは通常動作モードである。即ち，前記テレビジョン受像機Ｘの電源がＯＮの状態であって，前記映像表示部５には，前記チューナ１から入力されたテレビジョン放送の映像や，不図示の外部入力端子などから入力された映像など，任意の映像が表示された状態である。
【００３５】
［ステップＳ２０４，２０５］
ステップＳ２０４では，前記サブＭＰＵ９によって，前記通電スイッチが制御されることによって，前記クイックモードから前記通常動作モードへ切り替えられる（即ち，電源がＯＮされる）。
続くステップＳ２０５では，前記制御回路６によって前記映像処理回路４が制御されることにより，該映像処理回路４の単独表示機能により，前記ＨＤＭＩ受信部２ｘｂから入力された前記撮影映像が前記映像表示部５に単独表示される。このとき，前記テレビジョン受像機Ｘはクイックモードであったため，前記撮影映像以外の映像を同時に表示させる必要性が低いため，該撮影映像を単独表示することに問題はない。なお，前記省エネモードの場合と同様に，前記テレビジョン受像機Ｘがクイックモードである場合には，前記ステップ２０１に戻ること，即ち前記撮影映像を表示しないことも他の実施例として考えられる。また，逆に，前記省エネモードである場合に，前記ステップＳ２０４に移行させて，前記撮影映像を表示させることも他の実施例として考えられる。
【００３６】
［ステップＳ２０６］
一方，前記テレビジョン受像機Ｘの動作モードが通常動作モードである場合には（Ｓ２０２及びＳ２０３でＮｏ），処理はステップＳ２０６に移行する。このとき，前記テレビジョン受像機Ｘでは，前記チューナ１から入力されたテレビジョン放送の映像などが前記映像表示部５に表示されている。
当該ステップＳ２０６では，前記制御回路６によって前記映像処理回路４が制御されることにより，該映像処理回路４の合成表示機能により，前記映像表示部５に表示中の映像（以下「既表示映像」という）と，前記ＨＤＭＩ受信部２ｘｂから入力された前記撮影映像とが合成されて前記映像表示部５に同時に表示される。ここに，前記撮影開始コマンドが受信された場合に，前記映像処理回路４を制御することにより前記既表示映像及び前記撮影映像を合成して表示させるときの前記制御回路６が合成表示手段に相当する。
これにより，前記テレビジョン受像機Ｘを視聴しているユーザは，前記映像表示部５で前記既表示映像及び前記撮影映像を同時に見ることができる。
ここに，図３及び図４は，前記ステップＳ２０６において前記映像処理回路４の合成表示機能により前記映像表示部５に表示される表示画面の一例を示す図である。ここに，図３，４中のｖ０は前記既表示映像，ｖ１は前記撮影映像である。
図３は，前記映像処理回路４の合成表示機能によって，前記既表示映像ｖ０と前記撮影映像ｖ１とが前記映像表示部５に左右に二分割表示された場合の表示例を示している。
一方，図４は，前記映像処理回路４の合成表示機能によって，前記既表示映像ｖの表示領域内に前記撮影映像ｖ１が表示された場合の表示例を示している。
なお，前記既表示映像及び前記撮影映像を合成して前記映像表示部５に同時に表示させる手法は，ここで説明したものに限られない。
【００３７】
［ステップＳ２０７］
そして，Ｓ２０７では，前記制御回路６によって，前記インターホンシステムＶにおける前記ステップＳ１０５において送信される前記撮影終了コマンドが受信されたか否かが判断される。
ここで，前記撮影終了コマンドが受信されたと判断されると（Ｓ２０７のＹｅｓ），処理はステップＳ２０８に移行し，受信されていないと判断されている間（Ｓ２０７のＮｏ側）は，前記ステップＳ２０７の判断が繰り返し実行される。
【００３８】
［ステップＳ２０８］
ステップＳ２０８では，前記ステップＳ２０１において前記撮影開始コマンドが受信されたときに，前記テレビジョン受像機Ｘの動作モードがクイックモードであったか否かが判断される。なお，前記ステップＳ２０１において前記撮影開始コマンドが受信されたときの前記テレビジョン受像機Ｘの動作モードは前記制御回路６のＥＥＰＲＯＭ６ｃや前記サブＭＰＵ９の内部メモリなどに記憶されており，前記ステップＳ２０８では，その情報に基づいて判断が行われる。
ここで，前記クイックモードであったと判断されると（Ｓ２０８のＹｅｓ），処理はステップＳ２０９に移行し，前記クイックモードではなかったと判断されると（Ｓ２０８のＮｏ側），処理はステップＳ２１０に移行する。
【００３９】
［ステップＳ２０９，Ｓ２１０］
ステップＳ２０９では，前記サブＭＰＵ９によって，前記通電スイッチが制御されることによって，前記通常動作モードから前記クイックモードへ切り替えられる（即ち，電源がＯＦＦされる）。これにより，前記映像表示部５の表示は消去される。その後，処理は前記ステップＳ２０１に移行する。
一方，ステップＳ２１０では，前記制御回路６によって前記映像処理回路４が制御されることにより，該映像処理回路４は，前記ＨＤＭＩ受信部２ｘｂから入力される前記撮影映像の前記映像表示部５への表示を消去して，前記既表示映像を単独で前記映像表示部５に表示する。その後，処理は前記ステップＳ２０１に移行する。
【００４０】
このように，前記映像表示システムＺでは，前記テレビジョン受像機Ｘの映像表示部５に任意の映像が表示された状態で，前記インターホンシステムＶから前記撮影開始コマンドが入力された場合には，前記映像表示部５に既に表示されていた前記既表示映像と，前記インターホンシステムＶのカメラ３１で撮影された前記撮影映像とが合成されて前記映像表示部５に表示される。
したがって，ユーザが，例えば前記テレビジョン受像機Ｘにおいて前記映像表示部５に表示されたテレビジョン放送などの映像を視聴している場合に，来客によって前記インターホンシステムＶのインターホン子機３２の呼出ボタン（不図示）が押下されても，そのテレビジョン放送の視聴を中断することなく，前記インターホンシステムＶのカメラ３１によって撮影された前記撮影映像を前記映像表示部５によって確認することができる。
以上の処理が，前記撮影映像表示処理における前記テレビジョン受像機Ｘ側の処理である。
【００４１】
次に，前記撮影映像表示処理における前記ＨＤレコーダＹ側の処理について説明する。
［ステップＳ３０１，３０２］
前記ＨＤレコーダＹ側では，まず，前記制御回路２４が，前記ＣＥＣライン４２を通じて前記インターホンシステムＶから記ステップＳ１０３の処理で送信される前記撮影開始コマンドを受信する処理を実行する（Ｓ３０１）。なお，当該ＨＤレコーダＹが前記待機状態である場合には，まず，前記サブＭＰＵ２８が，自装置宛のコマンドが受信された時点で，前記通電スイッチを制御することによって前記待機状態から前記稼動状態へ切り替え（即ち，起動し），これによって起動した前記制御回路２４が，受信されたコマンド内容の判別を行う。
そして，前記制御回路２４は，前記撮影開始コマンドが受信されたことを確認すると（Ｓ３０１のＹｅｓ側），前記インターホンシステムＶのカメラ３１で撮影され，前記ＨＤＭＩインターフェースＷ１及びＷ２を通じて入力される前記撮影映像の録画の開始を前記記録・再生回路２２に指示する（Ｓ３０２）。これにより，前記記録・再生回路２２では，前記ＨＤＭＩ受信部２５ｃによって受信された前記撮影映像の前記ＨＤＤ２３への記録が開始される。
【００４２】
［ステップＳ３０３，３０４］
そして，ステップＳ３０３では，前記制御回路２４によって，前記ＣＥＣライン４２を通じて前記インターホンシステムＶから記ステップＳ１０５の処理で送信される前記撮影終了コマンドを受信する処理が実行される（Ｓ３０３）。
そして，前記制御回路２４は，前記撮影終了コマンドが受信されたことを確認すると（Ｓ３０３のＹｅｓ側），前記撮影映像の録画の終了を前記記録・再生回路２２に指示する（Ｓ３０４）。これにより，前記記録・再生回路２２では，前記撮影映像の録画が終了される。
その後，処理は前記ステップＳ３０１に戻る。このとき，前記サブＭＰＵ２８は，前記テレビジョン受像機Ｘから前記撮影開始コマンドを受信する前の状態が前記待機状態であった場合には，前記通電スイッチを制御することにより，当該ＨＤレコーダＹを前記稼動状態から前記待機状態へ切り替える（元の状態へ戻す）。
以上の処理が，前記撮影映像表示処理における前記ＨＤレコーダＹ側の処理である。
【００４３】
なお，本実施の形態では，前記インターホンシステムＶのカメラ３１で撮影された前記撮影映像を前記テレビジョン受像機Ｘで表示或いは前記ＨＤレコーダＹで録画することを例に挙げて説明したが，前記インターホンシステムＶのインターホン子機３２に入力される音声を前記テレビジョン受像機Ｘで出力することや前記ＨＤレコーダＹに録音してもよいことは言うまでもない。また，前記テレビジョン受像機Ｘにマイクを接続しておくことにより，前記インターホン子機３２との音声通話を実現することも他の実施例として考えられる。
また，前記映像表示システムＺは，前記ＨＤレコーダＹが一台だけ接続された構成であるが，複数のＨＤレコーダＹやその他のＨＤＭＩ機器が更に接続された構成も想定できる。
【実施例１】
【００４４】
また，前記実施の形態では，前記テレビジョン受像機Ｘが前記撮影開始コマンドを受信したとき，前記省エネモードである場合には前記撮影映像を表示せず，前記クイックモードである場合には前記撮影映像を単独表示し，前記通常動作モードである場合には前記撮影映像を前記既表示映像と合成して表示する場合について説明したが，これらは任意に設定・変更することができる構成が望ましい。
例えば，前記クイックモードである場合に前記撮影映像を前記既表示映像と合成して表示することや，前記通常動作モードである場合に前記撮影映像を単独表示させるように設定することを可能とすることが考えられる
。また，前記撮影映像を表示せずに，前記撮影開始コマンドが受信された旨，即ち，前記インターホン子機３２の呼出ボタン（不図示）が押下されたことをテロップ（文字）で前記映像表示部５に表示させるという設定を可能にしておくことも考えられる。
さらに，前記インターホン子機３２の呼出ボタン（不図示）が押下された際に，前記撮影映像を前記映像表示部５に表示させるか否かをユーザに問い合わせ，ユーザによる前記リモコン８への操作入力に応じて前記撮影映像の表示の有無を切り替える手法も考えられる。この場合，前記撮影映像を単独表示するか，或いは前記既表示映像と合成表示するかをも選択可能としておくことが望ましい。
また，前記インターホン子機３２の呼出ボタン（不図示）が押下された場合には，前述したように，前記撮影映像を前記映像表示部５に表示させると共に前記ＨＤレコーダＹに録画させ，前記人感センサ３３による検知が行われた場合には，人を検知した旨を前記映像表示部５にテロップ（文字）で表示させるだけで，前記撮影映像の前記映像表示部５への表示や前記ＨＤレコーダＹへの録画を行わないことも考えられる。
【実施例２】
【００４５】
また，前記実施の形態では，前記インターホン子機３２の呼出ボタン（不図示）の押下という条件が充足された場合に，前記撮影映像を前記テレビジョン受像機Ｘの映像表示部５に表示させる構成について説明した。
ここでは，他の条件により前記撮影映像を前記テレビジョン受像機Ｘの映像表示部５に表示させる構成について説明する。
例えば，所定の位置における音声の有無を検知する音声検知センサを有する監視装置を設ける構成が考えられる。
具体的には，前記テレビジョン受像機Ｘが設置された部屋とは別室に，該別室における音声の有無を検知する音声検知センサ及び前記カメラ３１を設けておく。そして，前記監視装置は，前記音声検知センサによる検知が行われた場合に前記カメラ３１に前記別室の映像の撮影開始を指示し，その撮影映像を前記テレビジョン受像機Ｘの映像表示部５に表示させるように処理を実行する。このように構成される映像表示システムは，例えば別室に居る赤ちゃんの状態を監視するために好適に用いられる。
【００４６】
また，前記監視装置の別の構成として，前記音声検知センサに換えて，所定の位置における人の有無を検知する人感センサを備える構成が考えられる。
この場合には，例えば前記カメラ３１及び前記人感センサを防犯の必要な箇所に設置しておき，前記人感センサによって人が検知された場合に，その場所の映像を前記カメラ３１で撮影して前記テレビジョン受像機Ｘの映像表示部５に表示させるように処理が実行される。
【図面の簡単な説明】
【００４７】
【図１】本発明の実施の形態に係る映像表示システムＺの概略構成を示すブロック図。
【図２】本発明の実施の形態に係る映像表示システムＺにおいて実行される撮影映像表示処理の手順の一例を説明するためのフローチャート。
【図３】本発明の実施の形態に係る映像表示システムＺにおいて実行される撮影映像表示処理による表示画面の一例を示す図。
【図４】本発明の実施の形態に係る映像表示システムＺにおいて実行される撮影映像表示処理による表示画面の一例を示す図。
【符号の説明】
【００４８】
Ｖ…インターホンシステム
Ｘ…テレビジョン受像機
Ｙ…ハードディスクレコーダ
Ｚ…映像表示システム
１，２１…チューナ
２ｘａ，２ｘｂ，２５ｃ…ＨＤＭＩ受信部
２ｙａ，２５ａ，３４…ＨＤＭＩ送信部
２ｘｃ，２５ｂ，３５…ＣＥＣインターフェース
４…映像処理回路
５…映像表示部
６，２４…制御回路
７，２６…リモコンインターフェース回路
８，２７…リモコン
９，２８…サブＭＰＵ
１０…音声切替回路
１１…音声処理回路
１２…アンプ
１３…スピーカ
２２…記録・再生回路
２３…ハードディスクドライブ（ＨＤＤ）
４０…ＨＤＭＩケーブル
４１ｘ，４１ｙ，５１ｘ…ＴＭＤＳライン
４２…ＣＥＣライン
Ｓ１０１，Ｓ１０２，〜…処理手順（ステップ）番号
【図１】
2008085729.tif 000003
【図２】
2008085729.tif 000004
【図３】
2008085729.tif 000005
【図４】
2008085729.tif 000006